(57)【要約】      （修正有）【課題】炎天下であっても収容室に収容したエサを生きたまま保存することができるエサ箱を提供する。【解決手段】このエサ箱１０は、下本体１１と上本体１２とを備えている。下本体１１は、上面２２を有し、上面２２に開口２３が設けられ且つ開口２３に連続してエサ収容室２１が内部に区画されている。上本体１２は、底面３８の裏面である下面を有し、下面が下本体１１の上面２２と対向するように下本体１１に着脱自在に重ね合わされる。上本体１２は、天面３４に開口３５が設けられ且つ開口３５に連続して区画された保冷剤収容室３１と、底面３８から下面に貫通されており、上本体１２の外部と保冷剤収容室３１とを連通する通気路３３とを備えている。【選択図】図２
0003201036.tif 000002
【実用新案登録請求の範囲】
【請求項１】
上面を有し、当該上面に開口が設けられ且つ当該開口に連続してエサ収容室が内部に区画された下本体と、下面を有し、当該下面が上記下本体の上面と対向するように上記下本体に着脱自在に重ね合わされる上本体とを有し、
当該上本体は、
天面に開口が設けられ且つ当該開口に連続して区画された保冷剤収容室と、
上記下面に設けられ、上記保冷剤収容室に連通する通気路とを備えているエサ箱。
【請求項２】
上記上本体の下面に嵌合部が突設されており、
当該嵌合部は、上記下本体の開口に対して所定のはめあいにより圧入される外形形状を呈している請求項１に記載のエサ箱。
【請求項３】
上記嵌合部の突出寸法は６ｍｍ〜１２ｍｍである請求項２に記載のエサ箱。
【請求項４】
上記嵌合部のエッジに面取加工がなされている請求項３に記載のエサ箱。
【請求項５】
上記通気路は円形の貫通孔からなり、上記下本体の開口の面積に対する上記通気路の面積の割合が、１．５％〜４．０％である請求項１から４のいずれかに記載のエサ箱。
【請求項６】
上記通気路は複数の貫通孔を有し、各貫通孔は、上記上本体の下面に均等に配置されている請求項５に記載のエサ箱。
【請求項７】
上記下本体と上記上本体とが重ね合わされた状態で両者の側面は滑らかに連続し、
上記下本体又は上記上本体の少なくともいずれか一方の側面に、一対の指掛凹部が対向配置されている請求項１から６のいずれかに記載のエサ箱。
【請求項８】
上記上本体は、上記天面に設けられた開口に嵌合して上記保冷剤収容室を閉塞する蓋を有し、
当該蓋は、上記天面と滑らかに連続する板状に形成されている請求項１から７のいずれかに記載のエサ箱。
【請求項９】
上記蓋は、上記上本体の開口に対して所定のはめあいにより圧入される外形形状を呈している請求項８に記載のエサ箱。
【請求項１０】
上記蓋のエッジに面取加工がなされている請求項９に記載のエサ箱。
【請求項１１】
上記蓋の厚みは６ｍｍ〜１２ｍｍであり、上記保冷剤収容室の内壁面に上記蓋が載置される段部が形成されている請求項９又は１０に記載のエサ箱。
【請求項１２】
上記上本体の天面に、当該天面に設けられた開口に嵌合した上記蓋の側面を露出させる一対の切欠凹部が設けられており、
各切欠凹部は、上記指掛凹部が対向する方向と直交する方向に対向している請求項８から１１に記載のエサ箱。
【考案の詳細な説明】
【技術分野】
【０００１】
この考案は、釣エサを収容するエサ箱の構造に関するものである。
【背景技術】
【０００２】
釣りのターゲット（対象魚）に応じたさまざまな種類の釣りエサが販売されている。特定のターゲットに対してはゴカイやイソメなどの虫が採用され、従来からこれらを生きたまま保存するるエサ箱が提案されている（たとえば、特許文献１参照）。特許文献１に開示されたエサ箱は、イソメやゴカイ等を収容する収容室を備えており、この収容室内の環境は、イソメやゴカイが生息する自然界の環境に近くなるように調整されている。
【先行技術文献】
【特許文献】
【０００３】
【特許文献１】特開２０００−１３９３１０号公報
【考案の概要】
【考案が解決しようとする課題】
【０００４】
気温が高くなる夏期の釣りでは、屋外にエサ箱を設置すると、収容室内の温度が上昇し、場合によってはイソメやゴカイが死滅することも懸念される。この問題の解決のため、たとえばエサ箱が断熱材で覆われ、且つエサ箱を冷却する保冷剤が設けられてもよい。
【０００５】
しかし、炎天下にてエサ箱の収容室を適度に冷却することは容易ではなく、また、収容室が冷えすぎるとイソメやゴカイが死んでしまうおそれがある。
【０００６】
本考案はかかる背景のもとになされたものであって、その目的は、炎天下であっても収容室に収容したエサを生きたまま保存することができるエサ箱を提供することである。
【課題を解決するための手段】
【０００７】
(1) 本考案に係るエサ箱は、下本体及び上本体を有する。下本体は、上面を有し、当該上面に開口が設けられ且つ当該開口に連続してエサ収容室が内部に区画されている。上本体は、下面を有し、当該下面が上記下本体の上面と対向するように上記下本体に着脱自在に重ね合わされる。この上本体は、天面に開口が設けられ且つ当該開口に連続して区画された保冷剤収容室と、上記下面に設けられ、上記保冷剤収容室に連通する通気路とを備えている。
【０００８】
このエサ箱では、保冷剤収容室に保冷剤が入れられる。保冷剤には、一般に市販されているものが使用され得る。上本体は、下本体に上下方向に沿って重ね合わされ、これにより、下本体の開口が閉塞され、エサ収容室も閉じられる。上本体の下面に通気路が形成されているから、当該通気路を通じて保冷剤収容室内の空気がエサ収容室を対流する。保冷剤収容室に保冷剤が入れられているならば、冷気が下方に移動してエサ収容室内に入り込む。
【０００９】
(2) 上記上本体の下面に嵌合部が突設されており、当該嵌合部は、上記下本体の開口に対して所定のはめあいにより圧入される外形形状を呈しているのが好ましい。
【００１０】
この構成では、上本体の嵌合部が下本体の開口に圧入されるので、両者の嵌合状態が保持され、容易に上本体が下本体から離脱することが防止される。これにより、上記冷気が確実にエサ収容室に流れ込む。
【００１１】
(3) 上記嵌合部の突出寸法は６ｍｍ〜１２ｍｍであるのが好ましい。
【００１２】
この構成では、下本体に対して上本体が確実に嵌合し、上本体が下本体から離脱することが確実に防止される。
【００１３】
(4) 上記嵌合部のエッジに面取加工がなされているのが好ましい。
【００１４】
この構成では、上本体を下本体に嵌め合わせる作業が容易になる。
【００１５】
(5) 上記通気路は円形の貫通孔からなり、上記下本体の開口の面積に対する上記通気路の面積の割合が、１．５％〜４．０％であるのが好ましい。
【００１６】
この構成では、上記冷気の対流がより円滑になる。また、上記通気路の面積が必要最小限となるので、大量の冷気がエサ収容室に流れ込むことによるエサ収容室の冷えすぎが防止される。
【００１７】
(6) 上記通気路は複数の貫通孔を有し、各貫通孔は、上記上本体の下面に均等に配置されているのが好ましい。
【００１８】
この構成では、冷気が均等にエサ収容室内に流れ込むので、エサ収容室内の局部的な温度低下が防止される。
【００１９】
(7) 下本体の側面と上本体とが重ね合わされた状態で両者の側面は滑らかに連続し、下本体又は上本体の少なくともいずれか一方の側面に、一対の指掛凹部が対向配置されているのが好ましい。
【００２０】
この構成では、エサ箱が単一の箱のような外形を呈する。上記指掛凹部が設けられることにより、釣人は、この指掛凹部に指を掛けることにより、上本体と下本体を容易に分離させることができる。すなわち、エサ収容室からエサを取り出す作業が容易になる。
【００２１】
(8) 上記上本体は、上記天面に設けられた開口に嵌合して上記保冷剤収容室を閉塞する蓋を有し、当該蓋は、上記天面と滑らかに連続する板状に形成されているのが好ましい。
【００２２】
この構成では、蓋により保冷剤収容室が閉塞される。したがって、炎天下においても保冷剤の温度上昇が抑えられ、その結果、エサ収容室が長時間にわたって冷却される。この蓋は板状を呈し、上本体の天面と連続するから、エサ箱の外観が損なわれることはない。
【００２３】
(9) 上記蓋は、上記上本体の開口に対して所定のはめあいにより圧入される外形形状を呈しているのが好ましい。
【００２４】
この構成では、蓋が容易に外れることがない。したがって、保冷剤が保護される。
【００２５】
(10)上記蓋のエッジに面取加工がなされているのが好ましい。
【００２６】
この構成では、蓋を上本体に嵌め合わせる作業が容易になる。
【００２７】
(11)上記蓋の厚みは６ｍｍ〜１２ｍｍであり、上記保冷剤収容室の内壁面に上記蓋が載置される段部が形成されているのが好ましい。
【００２８】
この構成では、蓋が十分な剛性を有し、且つ上本体に対して位置決めされる。
【００２９】
(12)上記上本体の天面に、当該天面に設けられた開口に嵌合した上記蓋の側面を露出させる一対の切欠凹部が設けられており、各切欠凹部は、上記指掛凹部が対向する方向と直交する方向に対向しているのが好ましい。
【００３０】
この構成では、釣人は、上記切欠凹部に指を掛けることにより、蓋を容易に取り外すことができる。しかも、この切欠凹部は、上記指掛凹部に対して直交する位置に配置されるから、釣人は、蓋を外すつもりで上本体を下本体から外してしまうことや、上本体を外すつもりで蓋を外してしまうというミスを防止することができる。なぜなら、一対の切欠凹部に指が掛かっているときは決して指掛凹部に指が掛かることがなく、また、指掛凹部に指が掛かっているときは決して切欠凹部に指が掛かることがないからである。
【考案の効果】
【００３１】
本考案によれば、上下に配置された上本体及び下本体は、それぞれ保冷剤収容室及びエサ収容室を有するから、保冷剤収容室内の冷気は、通気路を通じてエサ収容室に自然と対流する。これにより、エサ収容室内にたとえば虫エサが収容されている場合に、エサ収容室内の温度上昇が抑えられ、エサが生きたまま保存される。
【図面の簡単な説明】
【００３２】
【図１】図１は、本考案の一実施形態に係るエサ箱の外観斜視図である。
【図２】図２は、本考案の一実施形態に係るエサ箱の分解斜視図である。
【図３】図３は、本考案の一実施形態に係る下本体の外観斜視図である。
【図４】図４は、本考案の一実施形態に係る上本体の保冷剤箱を斜め上方から視た外観斜視図である。
【図５】図５は、本考案の一実施形態に係る上本体の保冷剤箱を斜め下方から視た外観斜視図である。
【図６】図６は、図４におけるＶＩ−ＶＩ断面図である。
【図７】図７は、本考案の一実施形態に係る上本体の蓋の外観斜視図である。
【考案を実施するための形態】
【００３３】
以下、本考案の好ましい実施形態が、適宜図面が参照されながら説明される。
【００３４】
１．エサ箱の概略と特徴点
【００３５】
図１及び図２は、エサ箱１０の斜視図である。
【００３６】
図１及び図２が示すエサ箱１０は、発泡スチロールからなる。なお、エサ箱１０は、発泡スチロール以外の樹脂からなっていてもよいし、樹脂以外の材料（例えば木材）からなっていてもよい。
【００３７】
図１及び図２が示すように、エサ箱１０は、下本体１１と、上本体１２とを備える。下本体１１に、さまざまな釣エサが収容保存される。上本体１２は、下本体１１に重ね合わされる。上本体１２は、保冷剤箱１３と蓋１４とを備える。保冷剤箱１３に、保冷剤１５が収容される。釣人は、エサ箱１０に釣エサを収容して釣場に持ち込むことができる。本実施形態に係るエサ箱１０の仕様は、ゴカイやイソメなどの虫を生きたまま収容するのに適したものとなっている。
【００３８】
本実施形態に係るエサ箱１０の特徴とするところは、（１）下本体１１と上本体１２とから構成されている点、（２）下本体１１のエサ収容室２１と上本体１２の保冷剤収容室３１との間を保冷剤１５の冷気が移動することができるように、上本体１２の下面３２（図５参照）に、通気路３３が形成されている点である。これにより、エサ箱１０は、炎天下においてもゴカイやイソメなどの虫を生きたまま長時間にわたった保存することができるようになっている。
【００３９】
２．下本体
【００４０】
図３は、下本体１１の斜視図である。  
【００４１】
図３が示すように、下本体１１は、全体として直方体の外形を呈する。下本体１１は、底を有する容器状に形成されている。下本体１１の上面２２は開放されており、開口２３が形成されている。開口２３に連続して下本体１１の内部にエサ収容室２１が形成されている。つまり、エサ収容室２１が、下本体１１の内部に区画されている。
【００４２】
下本体１１の側面２４に、一対の指掛凹部２５が対向配置されている。側面２４は、上面２２の外縁のうち、下本体１１が上方から視られた場合における長手方向の外縁から下方へ延出された面である。指掛凹部２５は、側面２４の上端部に形成されている。
【００４３】
なお、指掛凹部２５は、下本体１１の側面２６に対向配置されていてもよい。側面２６は、上面２２の外縁のうち、下本体１１が上方から視られた場合における短手方向の外縁から下方へ延出された面である。また、指掛凹部２５は、側面２４の上端部以外（下端部や、上端部及び下端部の間の中央部）に形成されていてもよい。また、指掛凹部２５は、後述する上本体１２の側面３６または側面３７（図１参照）に形成されていてもよい。また、指掛凹部２５は、下本体１１及び上本体１２の双方に形成されていてもよい。
【００４４】
３．上本体
【００４５】
図１及び図２が示すように、上本体１２は、保冷剤箱１３と蓋１４とを備える。
【００４６】
４．保冷剤箱１３
【００４７】
図４は、保冷剤箱１３を斜め上方から視た斜視図である。図５は、保冷剤箱１３を斜め下方から視た斜視図である。図６は、図４におけるＶＩ−ＶＩ断面図である。
【００４８】
図４及び図５が示すように、保冷剤箱１３は、全体として直方体の外形を呈する。保冷剤箱１３は、底を有する容器状に形成されている。保冷剤箱１３の天面３４は開放されており、開口３５が形成されている。開口３５に連続して保冷剤箱１３の内部に保冷剤収容室３１が形成されている。保冷剤収容室３１は、保冷剤箱１３の内部に、底面３８及び内壁面３９によって区画されている。
【００４９】
図１及び図２が示すように、保冷剤箱１３を含む上本体１２は、上本体１２が下本体１１の上方に位置するように、下本体１１に着脱自在に重ね合わされる。図１に、上本体１２が下本体１１に重ね合わされた状態が示されている。図２に、上本体１２が下本体１１から脱抜された状態が示されている。上本体１２が下本体１１に重ね合わされているとき、保冷剤箱１３の下面３２（図５参照）は、下本体１１の上面２２（図３参照）と対向している。下面３２は、底面３８の裏面である。
【００５０】
図４及び図５が示すように、保冷剤箱１３の外周は、側面３６、３７によって形成されている。側面３６は、天面３４の外縁のうち、保冷剤箱１３が上方から視られた場合における長手方向の外縁から下方へ延出された面である。側面３７は、天面３４の外縁のうち、保冷剤箱１３が上方から視られた場合における短手方向の外縁から下方へ延出された面である。保冷剤箱１３の外周の形状は、下本体１１の外周の形状に対応している。ここで、下本体１１の外周は、側面２４、２６によって形成されている。これにより、上本体１２が下本体１１に重ね合わされたとき、側面２４及び側面３６並びに側面２６及び側面３７は、滑らかに連続するようになっている（図１参照）。換言すると、上本体１２が下本体１１に重ね合わされたとき、側面２４及び側面３６は面一となり、側面２６及び側面３７は面一となる。
【００５１】
図５が示すように、保冷剤箱１３の下面３２に、通気路３３が形成されている。通気路３３は、円形の貫通孔からなっている。つまり、図６が示すように、通気路３３は、底面３８から下面３２に貫通されている。これにより、通気路３３は、保冷剤収容室３１と保冷剤箱１３の下方とを連通している。また、通気路３３は、６個の貫通孔を有している。
【００５２】
下本体１１の開口２３の面積に対する通気路３３の面積の割合は、１．５％〜４．０％である。本実施形態において、当該割合は、２．４％である。下本体１１の開口２３の面積は、長手方向の長さＬ１（図３参照）と短手方向の長さＬ２（図３参照）とを乗算することによって求めることができる。また、図５に示される通気路３３の面積は、６個の通気路３３の各々の面積の合計である。  
【００５３】
図５が示すように、通気路３３を構成する６個の貫通孔は、下面３２に均等に配置されている。ここで、均等に配置とは、隣り合う貫通孔の間の距離が全て等しいような配置に限らず、隣り合う貫通孔の間の距離に若干の相違があってもよい。例えば、図５が示すように、隣り合う貫通孔の間の短手方向の距離が、隣り合う貫通孔の間の長手方向の距離よりも若干長くてもよい。また、図５において、６個の貫通孔は、配列状に配置されているが、このような配置に限らない。例えば、複数の貫通孔が、放射状に並んで配置されていてもよい。            
【００５４】
なお、通気路３３は、円形以外、例えば四角形の貫通孔からなっていてもよい。また、通気路３３は、６個に限らず、５個以下でもよいし、７個以上でもよい。通気路３３は、複数の貫通孔からなっていてもよいし、１個の貫通孔からなっていてもよい。
【００５５】
保冷剤箱１３の下面３２に、嵌合部４０が突設されている。嵌合部４０は、通気路３３を構成する６個の貫通孔を囲むように延設されている。嵌合部４０の外周の形状は、下本体１１の開口２３の縁の形状に対応している。但し、嵌合部４０の外周の形状は、下本体１１の開口２３の縁の形状よりも僅かに大きい。これにより、上本体１２が下本体１１に重ね合わされるとき、嵌合部４０または開口２３の縁の少なくとも一方は、相手方に押されることによって弾性変形する。その結果、嵌合部４０は、開口２３に対して圧入される。以上より、嵌合部４０は、開口２３に対して所定のはめあいにより圧入される外形形状を呈している。
【００５６】
嵌合部４０の突出寸法は、６ｍｍ〜１２ｍｍが好ましい。図６が示すように、本実施形態において、嵌合部４０の突出寸法は１０ｍｍである。
【００５７】
図５及び図６が示すように、嵌合部４０のエッジ４３に面取加工がなされている。エッジ４３は、嵌合部４０の突出先端の外縁である。本実施形態において、面取加工は、円弧の半径が３ｍｍのいわゆるアール加工であるが、これに限らない。例えば、面取加工は、４５度面取加工であってもよい。
【００５８】
なお、嵌合部４０の形状は、図５に示された形状に限らない。例えば、嵌合部４０は、図５に示された形状の４隅部分にのみ形成されていてもよいし、逆に、当該４隅部分以外の部分にのみ形成されていてもよい。
【００５９】
図４及び図６が示すように、内壁面３９に段部４１が形成されている。段部４１は、内壁面３９における天面３４及び底面３８の概ね中間部に形成されている。段部４１は、蓋１４が載置されるものである。段部４１と天面３４との間の距離Ｌ３（図６参照）は、蓋１４の厚みと同じである。本実施形態において、距離Ｌ３は、１０ｍｍである。
【００６０】
図４が示すように、保冷剤箱１３の天面３４に、一対の切欠凹部４２が対向配置されている。切欠凹部４２は、上本体１２が下本体１１に重ねられた状態（図１参照）において、指掛凹部２５が対向する方向と直交する方向に対向配置されている。本実施形態において、指掛凹部２５は、エサ箱１０が上方から視られた場合における長手方向に対向しており、切欠凹部４２は、エサ箱１０が上方から視られた場合における短手方向に対向している。
【００６１】
なお、指掛凹部２５が、エサ箱１０が上方から視られた場合における短手方向に対向しており、切欠凹部４２が、エサ箱１０が上方から視られた場合における長手方向に対向していてもよい。また、切欠凹部４２は、指掛凹部２５が対向する方向と同じ方向に対向配置されてもよい。
【００６２】
４．蓋
【００６３】
図７は、蓋１４の斜視図である。
【００６４】
図７が示すように、蓋１４は、全体として薄板且つ直方体の外形を呈する。蓋１４は、保冷剤箱１３に着脱自在である。図１に、蓋１４が保冷剤箱１３の天面３４に設けられた開口３５（図２参照）に嵌合した状態が示されている。このとき、保冷剤収容室３１は蓋１４によって閉塞されている。図２に、蓋１４が保冷剤箱１３から脱抜された状態が示されている。このとき、保冷剤収容室３１は開放されている。
【００６５】
図２が示すように、蓋１４の外周の形状は、保冷剤箱１３の開口３５の縁の形状に対応している。但し、蓋１４の外周の形状は、保冷剤箱１３の開口３５の縁の形状よりも僅かに大きい。これにより、蓋１４が開口３５に嵌合されるとき、蓋１４または開口３５の縁の少なくとも一方は、相手方に押されることによって弾性変形する。その結果、蓋１４は、開口３５に対して圧入される。以上より、蓋１４は、開口３５に対して所定のはめあいにより圧入される外形形状を呈している。  
【００６６】
蓋１４の厚みは、６ｍｍ〜１２ｍｍが好ましい。図２が示すように、本実施形態において、蓋１４の厚みは、１０ｍｍである。つまり、上述したように、蓋１４の厚みは、保冷剤箱１３における段部４１と天面３４との間の距離Ｌ３と同じである。これにより、図１が示すように、蓋１４が開口３５に嵌合されたとき、蓋１４の上面５１と保冷剤箱１３の天面３４とは滑らかに連続するようになっている。換言すると、蓋１４が開口３５に嵌合されたとき、上面５１及び天面３４は面一となる。
【００６７】
蓋１４が開口３５に嵌合した状態において、蓋１４の側面５４は、上本体１２の保冷剤箱１３に形成された一対の切欠凹部４２を通じて露出されている。つまり、切欠凹部４２は、開口３５に嵌合した蓋１４の側面５４を露出させるものである。
【００６８】
図７が示すように、蓋１４のエッジ５２に面取加工がなされている。エッジ５２は、蓋１４の下面５３の外縁である。下面５３は、上面５１の裏面である。本実施形態において、面取加工は、円弧の半径が２ｍｍのいわゆるアール加工であるが、これに限らない。例えば、面取加工は、４５度面取加工であってもよい。
【００６９】
５．保冷剤
【００７０】
図２に示される保冷剤１５は、保冷剤収容室３１に収容されている。保冷剤１５は、樹脂製のケース６１を備えている。ケース６１は、袋状のフィルムである。フィルムは、樹脂（典型的には、ポリエチレンやポリアミド）で形成されている。ケース６１の内部に、ポリアクリル酸ナトリウムが封入されている。ケース６１は、熱圧着などによって封止されている。これにより、内部に封入されたポリアクリル酸ナトリウムが漏れ出ることが防止される。
【００７１】
６．本実施形態の作用効果
【００７２】
このエサ箱１０では、保冷剤収容室３１に保冷剤１５が入れられる。保冷剤１５には、一般に市販されているものが使用され得る。図１及び図２が示すように、上本体１２は、下本体１１に上下方向に沿って重ね合わされる。これにより、下本体１１の開口２３が閉塞され、エサ収容室２１も閉じられる。上本体１２の保冷剤箱１３の下面３２に通気路３３が形成されているから、当該通気路３３を通じて保冷剤収容室３１内の空気がエサ収容室２１を対流する。保冷剤収容室３１に保冷剤１５が入れられているならば、冷気が下方に移動してエサ収容室２１内に入り込む。保冷剤収容室３１に収容された保冷剤１５の温度は氷点下である。よって、たとえエサ箱１０が炎天下に置かれたとしても、エサ収容室２１内の温度の上昇が確実に抑えられ、ゴカイやイソメなどの虫が生きたまま保存される。
【００７３】
この実施形態では、上本体１２の保冷剤箱１３の嵌合部４０が下本体１１の開口２３に圧入されるため、両者の嵌合状態が保持され、容易に上本体１２が下本体１１から離脱することが防止される。これにより、上記冷気が確実にエサ収容室２１に流れ込む。
【００７４】
この実施形態では、嵌合部４０の突出寸法が１０ｍｍである。これにより、下本体１１に対して上本体１２の保冷剤箱１３が確実に嵌合し、上本体１２が下本体１１から離脱することが確実に防止される。
【００７５】
この実施形態では、嵌合部４０のエッジ４３に面取加工がなされているため、上本体１２の保冷剤箱１３を下本体１１に嵌め合わせる作業が容易になる。
【００７６】
この実施形態では、通気路３３が円形の貫通孔からなっているため、上記冷気の対流がより円滑になる。また、下本体１１の開口２３の面積に対する通気路３３の面積の割合が２．４％であるから、通気路３３の面積が必要最小限となる。そのため、大量の冷気が保冷剤収容室３１からエサ収容室２１に流れ込むことがない。その結果、エサ収容室２１の冷えすぎにより、ゴカイやイソメなどの虫が弱ってしまうことが防止される。
【００７７】
この実施形態では、通気路３３を構成する複数の貫通孔が保冷剤箱１３の下面３２に均等に配置されているため、冷気が均等にエサ収容室２１内に流れ込む。これにより、エサ収容室内の２１の局部的な温度低下により、温度低下された場所にいたゴカイやイソメなどの虫が弱ってしまうことが防止される。
【００７８】
この実施形態では、図１が示すように、エサ箱１０が単一の箱のような外形を呈する。指掛凹部２５が設けられることにより、釣人は、指掛凹部２５に指を掛けることにより、上本体１２と下本体１１を容易に分離させることができる。すなわち、エサ収容室２１からエサを取り出す作業が容易になる。
【００７９】
この実施形態では、蓋１４により保冷剤収容室３１が閉塞される。したがって、炎天下においても保冷剤１５の温度上昇が抑えられ、その結果、エサ収容室２１が長時間にわたって冷却される。蓋１４は板状を呈し、上本体１２の保冷剤箱１３の天面３４と連続するから、エサ箱１０の外観が損なわれることはない。
【００８０】
この実施形態では、蓋１４が保冷剤箱１３の開口３５に圧入されるため、両者の嵌合状態が保持され、蓋１４が容易に外れることがない。したがって、保冷剤１５が保護される。
【００８１】
この実施形態では、蓋１４のエッジ５２に面取加工がなされているため、蓋１４を保冷剤箱１３に嵌め合わせる作業が容易になる。
【００８２】
この実施形態では、図２が示すように、蓋１４の厚みが１０ｍｍである。そのため、蓋１４が十分な剛性を有し、且つ保冷剤箱１３に対して位置決めされる。
【００８３】
この実施形態では、保冷剤箱１３の天面３４に切欠凹部４２が設けられているため、釣人は、切欠凹部４２に指を掛けることにより、蓋１４を容易に取り外すことができる。しかも、切欠凹部４２は、指掛凹部２５に対して直交する位置に配置されるから、釣人は、蓋１４を外すつもりで保冷剤箱１３を下本体１１から外してしまうことや、保冷剤箱１３を外すつもりで蓋１４を外してしまうというミスを防止することができる。なぜなら、一対の切欠凹部４２に指が掛かっているときは決して指掛凹部２５に指が掛かることがなく、また、指掛凹部２５に指が掛かっているときは決して切欠凹部４２に指が掛かることがないからである。
【符号の説明】
【００８４】
１０・・・エサ箱
１１・・・下本体
１２・・・上本体
１３・・・保冷剤箱
１４・・・蓋
１５・・・保冷剤
２１・・・エサ収容室
２２・・・上面
２３・・・開口
２４・・・側面
２５・・・指掛凹部
２６・・・側面
３１・・・保冷剤収容室
３２・・・下面
３３・・・通気路
３４・・・天面
３５・・・開口
３６・・・側面
３７・・・側面
３８・・・底面
３９・・・内壁面
４０・・・嵌合部
４１・・・段部
４２・・・切欠凹部
４３・・・エッジ
５１・・・上面
５２・・・エッジ
５３・・・下面
５４・・・側面
６１・・・ケース
【図１】
0003201036.tif 000003
【図２】
0003201036.tif 000004
【図３】
0003201036.tif 000005
【図４】
0003201036.tif 000006
【図５】
0003201036.tif 000007
【図６】
0003201036.tif 000008
【図７】
0003201036.tif 000009
【手続補正書】
【提出日】平成27年9月8日(2015.9.8)
【手続補正１】
【補正対象書類名】実用新案登録請求の範囲
【補正対象項目名】全文
【補正方法】変更
【補正の内容】
【実用新案登録請求の範囲】
【請求項１】
上面を有し、当該上面に開口が設けられ且つ当該開口に連続してエサ収容室が内部に区画された下本体と、下面を有し、当該下面が上記下本体の上面と対向するように上記下本体に着脱自在に重ね合わされる上本体とを有し、
当該上本体は、
天面に開口が設けられ且つ当該開口に連続して区画された保冷剤収容室と、
上記下面に設けられ、上記保冷剤収容室に連通する通気路とを備えているエサ箱。
【請求項２】
上記上本体の下面に嵌合部が突設されており、
当該嵌合部は、上記下本体の開口に対して所定のはめあいにより圧入される外形形状を呈している請求項１に記載のエサ箱。
【請求項３】
上記嵌合部の突出寸法は６ｍｍ〜１２ｍｍである請求項２に記載のエサ箱。
【請求項４】
上記嵌合部のエッジに面取加工がなされている請求項３に記載のエサ箱。
【請求項５】
上記通気路は円形の貫通孔からなり、上記下本体の開口の面積に対する上記通気路の面積の割合が、１．５％〜４．０％である請求項１から４のいずれかに記載のエサ箱。
【請求項６】
上記通気路は複数の貫通孔を有し、各貫通孔は、上記上本体の下面に均等に配置されている請求項５に記載のエサ箱。
【請求項７】
上記下本体と上記上本体とが重ね合わされた状態で両者の側面は滑らかに連続し、
上記下本体又は上記上本体の少なくともいずれか一方の側面に、一対の指掛凹部が対向配置されている請求項１から６のいずれかに記載のエサ箱。
【請求項８】
上記上本体は、上記天面に設けられた開口に嵌合して上記保冷剤収容室を閉塞する蓋を有し、
当該蓋は、上記天面と滑らかに連続する板状に形成されている請求項１から７のいずれかに記載のエサ箱。
【請求項９】
上記蓋は、上記上本体の開口に対して所定のはめあいにより圧入される外形形状を呈している請求項８に記載のエサ箱。
【請求項１０】
上記蓋のエッジに面取加工がなされている請求項９に記載のエサ箱。
【請求項１１】
上記蓋の厚みは６ｍｍ〜１２ｍｍであり、上記保冷剤収容室の内壁面に上記蓋が載置される段部が形成されている請求項９又は１０に記載のエサ箱。
【請求項１２】
上記上本体の天面に、当該天面に設けられた開口に嵌合した上記蓋の側面を露出させる一対の切欠凹部が設けられており、
各切欠凹部は、上記指掛凹部が対向する方向と直交する方向に対向している請求項８から１１のいずれかに記載のエサ箱。